(57)【要約】【課題】  本発明は圧着端子用ネジ脱落防止具に係り、既存の圧着端子や取付ネジをそのまま使用しつつ、配線場所を問わず、圧着端子による配線の際に取付ネジの落下を防止する圧着端子用ネジ脱落防止具を提供することを目的とする。【解決手段】  請求項１に係る圧着端子用ネジ脱落防止具は、リード線と共に圧着端子のカシメ部にカシメ固定されるカシメ固定片と、圧着端子の電極部から離間する方向に傾斜片が屈曲または湾曲する断面略く字状の板バネからなり、前記傾斜片に、圧着端子の電極部に形成されたネジ挿通穴に対応してネジ挿通穴が設けられていることを特徴とする。  そして、請求項２に係る発明は、請求項１に記載の圧着端子用ネジ脱落防止具に於て、前記カシメ固定片は圧着端子のカシメ部の後端から突出し、当該カシメ固定片の後端に、前記カシメ部の後端に係止する抜け止め用の係止爪が設けられていることを特徴とする。【選択図】    図１
2011187263.tif 000002
【特許請求の範囲】
【請求項１】
リード線と共に圧着端子のカシメ部にカシメ固定されるカシメ固定片と、圧着端子の電極部から離間する方向に傾斜片が屈曲または湾曲する断面略く字状の板バネからなり、
前記傾斜片に、圧着端子の電極部に形成されたネジ挿通穴に対応してネジ挿通穴が設けられていることを特徴とする圧着端子用ネジ脱落防止具。
【請求項２】
前記カシメ固定片は圧着端子のカシメ部の後端から突出し、当該カシメ固定片の後端に、前記カシメ部の後端に係止する抜け止め用の係止爪が設けられていることを特徴とする請求項１に記載の圧着端子用ネジ脱落防止具。
【請求項３】
前記傾斜片に、端子盤の電極接続部の対向する側壁に当接する回り止め用の位置決め辺が形成されていることを特徴とする請求項１または請求項２に記載の圧着端子用ネジ脱落防止具。
【請求項４】
前記カシメ固定片の表面に、リード線抜け止め用の滑り止め部が設けられていることを特徴とする請求項１乃至請求項３のいずれか１項に記載の圧着端子用ネジ脱落防止具。
【発明の詳細な説明】
【技術分野】
【０００１】
本発明は、圧着端子用ネジ脱落防止具に係り、詳しくは圧着端子を用いてリード線を端子盤等の電極接続部にネジ止めする際に用いる圧着端子用ネジ脱落防止具に関する。
【背景技術】
【０００２】
従来、端子盤や各種接続部の電極接続部への配線に圧着端子が使用されており、リード線の先端に圧着接続された圧着端子が、取付ネジによって端子盤等の電極接続部にネジ止めされている。
【０００３】
前記取付ネジは、端子盤等の電極接続部に設けられた多数のネジ孔に夫々固定した状態に取り付けられており、圧着端子を用いてリード線を端子盤の電極接続部に接続する際には、端子盤から取付ネジを一旦完全に取り外して、圧着端子の電極部（端子接続部）を取付ネジで端子盤に接続，固定し、また、端子盤から圧着端子を取り外す場合も、同様に取付ネジを完全に外していた。
【０００４】
しかし、例えばラックに搭載された通信装置の天板や側板等の取付ネジの落下の虞がある配線に於て、端子盤への圧着端子の取付けや取り外しの際に取付ネジが脱落して紛失したり、装置内に取付ネジが落ちて短絡等の障害の一因となってしまう虞があった。
【０００５】
そこで、斯かる不具合を解決するため、特許文献１には、頭部とネジ部との間に円周溝を設け、当該円周溝に、波形座金と、取付穴の内径をネジ山の径より小径とした圧着端子を装着させた圧着端子付ネジが開示されている。
【０００６】
而して、この従来例によれば、リード線を端子台に接続する際、取付ネジを端子台から抜き取る必要がないため、作業中に取付ネジを取り落とす虞がなくなった。
【先行技術文献】
【特許文献】
【０００７】
【特許文献１】特開２００１−２９７８０５号公報
【発明の概要】
【発明が解決しようとする課題】
【０００８】
しかし乍ら、前記従来例は、頭部とネジ部との間に円周溝を設けた専用のネジが必要で、このネジは特殊部品扱いとなり、他に用途もないためコストがかかってしまう欠点が指摘されている。
【０００９】
本発明は斯かる実情に鑑み案出されたもので、既存の圧着端子や取付ネジをそのまま使用しつつ、配線場所を問わず、圧着端子による配線の際に取付ネジの落下を防止する圧着端子用ネジ脱落防止具を提供することを目的とする。
【課題を解決するための手段】
【００１０】
斯かる目的を達成するため、請求項１に係る圧着端子用ネジ脱落防止具は、リード線と共に圧着端子のカシメ部にカシメ固定されるカシメ固定片と、圧着端子の電極部から離間する方向に傾斜片が屈曲または湾曲する断面略く字状の板バネからなり、前記傾斜片に、圧着端子の電極部に形成されたネジ挿通穴に対応してネジ挿通穴が設けられていることを特徴とする。
【００１１】
そして、請求項２に係る発明は、請求項１に記載の圧着端子用ネジ脱落防止具に於て、前記カシメ固定片は圧着端子のカシメ部の後端から突出し、当該カシメ固定片の後端に、前記カシメ部の後端に係止する抜け止め用の係止爪が設けられていることを特徴とし、請求項３に係る発明は、請求項１または請求項２に記載の圧着端子用ネジ脱落防止具に於て、前記傾斜片に、端子盤の電極接続部の対向する側壁に当接する回り止め用の位置決め辺が形成されていることを特徴とする。
【００１２】
また、請求項４に係る発明は、請求項１乃至請求項３のいずれか１項に記載の圧着端子用ネジ脱落防止具に於て、前記カシメ固定片の表面に、リード線抜け止め用の滑り止め部が形成されていることを特徴とする。
【発明の効果】
【００１３】
各請求項に係る発明によれば、取付ネジの落下の虞がある配線作業に於て、圧着端子にカシメ固定した圧着端子用ネジ脱落防止具の傾斜片の傾斜片と電極部のネジ挿通穴に取付ネジを挿通させることで、取付ネジのネジ部が両ネジ挿通穴の周縁部に引っかかって取付ネジの脱落防止が図られるため、取付ネジが脱落して紛失したり、装置内に取付ネジが落ちて短絡等の障害が発生することがなくなり、品質の向上が図れる利点を有する。
【００１４】
一方、圧着端子を取り外す際にも、取付ネジを緩めれば、傾斜片がバネの復元力で基の形状へと斜め上方に開くため、取り外された取付ネジのネジ部が傾斜片と電極部のネジ挿通穴の周縁部に引っかかって取付ネジの脱落防止が図られることとなる。
【００１５】
また、圧着端子を端子盤等に仮止めできるため、配線作業を一時中断することが可能となり、柔軟な対応がとれ、作業性の向上に繋がる利点を有する。
【００１６】
而も、これらの発明によれば、既存の圧着端子や取付ネジをそのまま使用することができるため、コストが掛からず、更に、ネジ脱落防止具を多くのサイズの圧着端子に用いることができる利点を有する。
【００１７】
そして、請求項２に係る発明によれば、係止爪がカシメ部の後端に係止するため、万が一、カシメ部に於けるリード線とカシメ固定片のカシメが十分でなくても、圧着端子の使用時にネジ脱落防止具（カシメ固定片）がカシメ部から抜け落ちてしまうことがない利点を有する。
【００１８】
また、請求項３に係る発明によれば、取付ネジによる端子盤への圧着端子のネジ止めの際に、傾斜片に設けた位置決め辺が端子盤の側板に当接して圧着端子の回り止めを図るため、複数の圧着端子を並べて固定した際に、各圧着端子に接続されたリード線を見栄えよく一方向に配線させることができる。
【００１９】
更にまた、請求項４に係る発明によれば、カシメ固定片の表面にリード線抜け止め用の滑り止め部を形成したため、万が一、カシメ部に於けるリード線とカシメ固定片のカシメが十分でなくても、リード線がカシメ部から抜けてしまうことがなく、また、ネジ脱落防止具がカシメ部から抜け落ちてしまうことがない利点を有する。
【図面の簡単な説明】
【００２０】
【図１】請求項１の一実施形態に係る圧着端子用ネジ脱落防止具を取り付けた圧着端子の平面図である。
【図２】図１に示す圧着端子の側面図である。
【図３】請求項１の一実施形態に係る圧着端子用ネジ脱落防止具の平面図である。
【図４】図３に示す圧着端子用ネジ脱落防止具の側面図である。
【図５】圧着端子と圧着端子用ネジ脱落防止具による取付ネジの保持状態を示す平面図である。
【図６】圧着端子と圧着端子用ネジ脱落防止具による取付ネジの保持状態を示す側面図である。
【図７】取付ネジによる圧着端子の固定状態を示す側面図である。
【図８】請求項１及び請求項２の第一実施形態に係る圧着端子用ネジ脱落防止具の平面図である。
【図９】図８に示す圧着端子用ネジ脱落防止具の側面図である。
【図１０】図８に示す圧着端子用ネジ脱落防止具を取り付けた圧着端子の側面図である。
【図１１】請求項１及び請求項２の第二実施形態に係る圧着端子用ネジ脱落防止具の平面図である。
【図１２】図１１に示す圧着端子用ネジ脱落防止具の側面図である。
【図１３】図１１に示す圧着端子用ネジ脱落防止具を取り付けた圧着端子の側面図である。
【図１４】請求項１及び請求項３の一実施形態に係る圧着端子用ネジ脱落防止具の平面図である。
【図１５】図１４に示す圧着端子用ネジ脱落防止具の側面図である。
【図１６】図１４に示す圧着端子用ネジ脱落防止具を取り付けた圧着端子の平面図である。
【図１７】請求項１及び請求項４の一実施形態に係る圧着端子用ネジ脱落防止具の平面図である。
【発明を実施するための形態】
【００２１】
以下、本発明の実施形態を図面に基づいて詳細に説明する。
【００２２】
図１乃至図７は請求項１の一実施形態に係る圧着端子用ネジ脱落防止具とこれを用いた圧着端子を示し、図１及び図２に於て、１はカシメ部３と電極部５からなる既存の圧着端子で、リード線７の先端の金属線９をカシメ部３に挿入した後、当該カシメ部３をカシメてリード線７が圧着端子１に接続されるようになっている。
【００２３】
また、電極部５には、圧着端子１を図示しない端子盤の電極接続部にネジ止めする取付ネジ（図５中、符号１１）のネジ挿通穴１３が設けられている。
【００２４】
そして、前記圧着端子１に、一例としてリン青銅からなる板バネで形成された圧着端子用ネジ脱落防止具（以下、「ネジ脱落防止具」という）１５が取り付けられている。
【００２５】
図１乃至図４に示すようにネジ脱落防止具１５は、前記カシメ部３よりも幅狭な短冊状のカシメ固定片１７と、当該カシメ固定片１７から斜め上方に折曲された傾斜片１９とで断面く字状に形成されており、傾斜片１９は平面視円形状とされている。
【００２６】
そして、ネジ脱落防止具１５は、リード線７をカシメ部３にカシメ固定する際に、カシメ固定片１３を金属線９下に配置してリード線７と共にカシメ部３にカシメ固定されており、斯様にカシメ固定片１３がカシメ部３にカシメ固定されると、図２に示すように前記傾斜片１９は圧着端子１の電極部５から斜め上方へ傾斜して離間する。
【００２７】
更に、図１乃至図４に示すように圧着端子１の電極部５には、前記ネジ挿通穴１３に対応して平面視円形状のネジ挿通穴２１が設けられており、図５及び図６に示すように、圧着端子１を用いてリード線７を端子盤の電極接続部に接続する際に、電極接続部のネジ穴から取り外した取付ネジ１１を傾斜片１９と電極部５のネジ挿通穴２１、１３に挿通させると、傾斜片１９は電極部５に対して弾性的に斜め上方に傾斜しているため、取付ネジ１１のネジ部１１ａが両ネジ挿通穴２１，１３の周縁部に引っかかって、取付ネジ１１の脱落防止が図れるようになっている。
【００２８】
そして、既述したようにネジ脱落防止具１５は板バネで形成されているため、図５及び図６の状態で取付ネジ１１を電極接続部のネジ穴にネジ込んでいくと、図７に示すように傾斜片１９は取付ネジ１１の締付力によって電極部５方向へと順次弾性変形して、電極部５に重合するようになっている。
【００２９】
その他、図６中、２３は取付ネジ１１に取り付くバネ座である。
【００３０】
本実施形態に係るネジ脱落防止具１５はこのように構成されているから、圧着端子１を用いてリード７線を端子盤の電極接続部に接続するに当たり、現場でまたは予め別の場所でリード線７をカシメ部３にカシメ固定する際に、図１及び図２の如くカシメ固定片１３を金属線９下に配置して、リード線７と共にカシメ部３にカシメ固定する。
【００３１】
そして、現場で端子盤の電極接続部から一旦取り外した取付ネジ１１を、図５及び図６の如く傾斜片１９の上方から傾斜片１９と電極部５のネジ挿通穴２１、１３に挿通させれば、取付ネジ１１のネジ部１１ａが両ネジ挿通穴２１，１３の周縁部に引っかかって取付ネジ１１の脱落防止が図られる。
【００３２】
この後、図５及び図６の状態から取付ネジ１１を電極接続部のネジ穴にネジ込んでいけば、図７に示すように取付ネジ１１のねじ込みに伴い、傾斜片１９は電極部５方向へと弾性変形して電極部５に重合し、取付ネジ１１の締め付けが終了してリード線７が圧着端子１を介して電極接続部に接続される。
【００３３】
また、圧着端子１を端子盤に固定するに当たり、取付ネジ１１をある程度締め付けて圧着端子１を端子盤等に仮止めしておくことも可能で、取付ネジ１１のネジ部１１ａが前記ネジ挿通穴２１，１３の周縁部に引っかかって取付ネジ１１の脱落防止が図られ、圧着端子１が端子盤に仮止めされる。
【００３４】
一方、圧着端子１を電極接続部から取り外す際には、図７の状態から取付ネジ１１を緩めれば、図５及び図６の如く傾斜片１９がバネの復元力で基の形状へと斜め上方に開くため、取り外された取付ネジ１１のネジ部１１ａが傾斜片１９と電極部５のネジ挿通穴２１，１３の周縁部に引っかかって、取付ネジ１１の脱落防止が図られることとなる。
【００３５】
このように本実施形態によれば、端子盤への圧着端子１の取付けや取り外しの際に、また、装置等の天板や側板等の取付ネジ１１の落下の虞がある配線作業に於て、本実施形態に係るネジ脱落防止具１５をカシメ固定した圧着端子１を用いれば、取付ネジ１１が脱落して紛失したり、装置内に取付ネジ１１が落ちて短絡等の障害が発生することがなくなり、品質の向上が図れる利点を有する。
【００３６】
また、本実施形態によれば、圧着端子１を端子盤等に仮止めできるため、配線作業を一時中断することが可能となり、柔軟な対応がとれ、作業性の向上に繋がる利点を有する。
【００３７】
而も、本実施形態によれば、既述した特許文献１の従来例の如く特殊な専用のネジを必要とせず、既存の圧着端子１や取付ネジ１１をそのまま使用することができるため、コストが掛からず、更に、ネジ脱落防止具１５を多くのサイズの圧着端子に用いることができる利点を有する。
【００３８】
尚、前記実施形態では、傾斜片１９をカシメ固定片１７から斜め上方に折曲させたが、傾斜片１９をカシメ固定片１７から斜め上方に緩やかに湾曲させてもよく、斯かる実施形態によっても所期の目的を達成することが可能である。
【００３９】
図８乃至図１０は請求項１及び請求項２の第一実施形態に係るネジ脱落防止具とこれを用いた圧着端子を示し、本実施形態に係るネジ脱落防止具１５-1は、前記ネジ脱落防止具１５の構造に加え、カシメ固定片１７-1を圧着端子１のカシメ部３の後端３ａから若干後方へ突出する寸法に設定して、カシメ固定片１７-1の後端に、前記カシメ部３の後端３ａに係止する抜け止め用の係止爪２５を下方へ断面略Ｌ字状に折曲したものである。
【００４０】
また、図１１乃至図１３は請求項１及び請求項２の第二実施形態に係るネジ脱落防止具とこれを用いた圧着端子を示し、本実施形態に係るネジ脱落防止具１５-2は、カシメ固定片１７-1を圧着端子１のカシメ部３の後端３ａから若干後方へ突出する寸法に設定して、カシメ固定片１７-1の後端に、前記カシメ部３の後端３ａに係止する抜け止め用の平面視矩形状の係止爪２７、２９を左右方向へ突設したものである。
【００４１】
而して、これらの各実施形態によっても、図１の実施形態と同様、所期の目的を達成することが可能で、端子盤等への圧着端子１の取付けや取り外しの際に、取付ネジ１１が脱落して紛失したり、装置内に取付ネジ１１が落ちて短絡等の障害が発生することがなくなり、品質の向上が図れる利点を有する。
【００４２】
また、これらの実施形態によれば、前記係止爪２５、２７、２９がカシメ部３の後端３ａに係止するため、万が一カシメ部３に於けるリード線７とカシメ固定片１７-1のカシメが十分でなくても、圧着端子１の使用時にネジ脱落防止具１５-1、１５-2（カシメ固定片１７-1）がカシメ部３から抜け落ちてしまうことがない利点を有する。
【００４３】
図１４乃至図１６は請求項１及び請求項３の一実施形態に係るネジ脱落防止具とこれを用いた圧着端子を示し、本実施形態に係るネジ脱落防止具１５-3は、傾斜片１９を平面視円形状に形成した図３のネジ脱落防止具１５に代え、傾斜片１９-1を平面視矩形状に形成して、傾斜片１９-1の左右に、図１６に示す端子盤３１の電極接続部３３の対向する左右の側壁３５に当接する回り止め用の位置決め辺３７、３９を設けたことを特徴とする。
【００４４】
而して、本実施形態によれば、取付ネジ１１による圧着端子１のネジ止めの際に、左右の位置決め辺３７、３９が側板３５に当接して圧着端子１の回り止めを図るため、複数の圧着端子１を並べて端子盤３１に固定した際に、各圧着端子１に接続されたリード線７を見栄えよく一方向に配線させることができる利点を有する。
【００４５】
図１７は請求項１及び請求項４の一実施形態に係るネジ脱落防止具を示し、図示するように本実施形態に係るネジ脱落防止具１５-4は、カシメ固定片１７の表面をローレット加工により斜め方向にきざみをつけて、リード線抜け止め用の滑り止め部４１を形成したものである。
【００４６】
尚、その他の構成及び使用方法は図３のネジ脱落防止具１５と同様であるので、同一のものには同一符号を付してそれらの説明は省略する。
【００４７】
本実施形態に係るネジ脱落防止具１５-4はこのように構成されているから、本実施形態によっても、図１の実施形態と同様、所期の目的を達成することが可能で、端子盤等への圧着端子１の取付けや取り外しの際に、取付ネジ１１が脱落して紛失したり、装置内に取付ネジ１１が落ちて短絡等の障害が発生することがなくなり、品質の向上が図れる利点を有する。
【００４８】
また、本実施形態によれば、カシメ固定片１７の表面にリード線抜け止め用の滑り止め部４１を形成したため、万が一カシメ部３に於けるリード線７とカシメ固定片１７のカシメが十分でなくても、リード線７がカシメ部３から抜けてしまうことがなく、また、ネジ脱落防止具１５-4がカシメ部３から抜け落ちてしまうことがない利点を有する。
【００４９】
尚、本実施形態は、カシメ固定片１７の表面をローレット加工にて滑り止め部４１を形成したが、滑り止め部の形状は本実施形態に限定されるものではなく、例えば多数の微細なスパイク状の突起をカシメ固定片１７の表面に突設する等、リード線７の抜け止めを図るあらゆる滑り止め構造を用いることが可能である。
【符号の説明】
【００５０】
１  圧着端子
３  カシメ部
３ａ  カシメ部の後端
７  リード線
９  金属線
１１  取付ネジ
１１ａ  ネジ部
１３、２１  ネジ挿通穴
１５、１５-1、１５-2、１５-3、１５-4  ネジ脱落防止具
１７、１７-1  カシメ固定片
１９、１９-1  傾斜片
２５、２７、２９  係止爪
３１  端子盤
３３  電極接続部
３５  側壁
３７，３９  位置決め辺
４１  滑り止め部
【図１】
2011187263.tif 000003
【図２】
2011187263.tif 000004
【図３】
2011187263.tif 000005
【図４】
2011187263.tif 000006
【図５】
2011187263.tif 000007
【図６】
2011187263.tif 000008
【図７】
2011187263.tif 000009
【図８】
2011187263.tif 000010
【図９】
2011187263.tif 000011
【図１０】
2011187263.tif 000012
【図１１】
2011187263.tif 000013
【図１２】
2011187263.tif 000014
【図１３】
2011187263.tif 000015
【図１４】
2011187263.tif 000016
【図１５】
2011187263.tif 000017
【図１６】
2011187263.tif 000018
【図１７】
2011187263.tif 000019